(57)【要約】【課題】扁平袋状の矩形状の袋材内に、盛り付けた調理品を簡単、迅速に装入し、また、そのままの形態で密封収納でき、電子レンジによる加熱調理、更には開封後では舟形形状の容器として調理品をそのまま供食できるようにする。【解決手段】四面体状の外容器体１と、この外容器体１内に装入して外容器体１を四面体状に形作る四面体状の内包装体１０とから成る。外容器体１は、平面矩形状を呈する袋材２の上部開口部の端部ｃ，ｄ相互を当接してシールし、袋材２の底辺ａｂに対して直交する閉塞部３を形成し、底辺ａｂを共通の一辺とする三角形状の底側面部Ａ、上側面部Ｂ、及び閉塞部３を共通の一辺とする三角形状の左右側面部Ｃ，Ｄの４面を備える。内包装体１０は、外容器体１における三角形状の各側面部Ａ，Ｂ，Ｃ，Ｄそれぞれに外容器体１の内側から当接するよう長方形板材の折曲によって組み立て、袋材２内に装入する。【選択図】図１
2010241491.tif 000002
【特許請求の範囲】
【請求項１】
平面で矩形状を呈する袋材における上部開口部の端部相互を当接して上部開口部をシールすることで、袋材の底辺に対して直交配置される閉塞部を形成し、底辺を共通の一辺とする三角形状の底側面部、上側面部、及び閉塞部を共通の一辺とする三角形状の左右側面部から成る四面体状の外容器体と、この外容器体における三角形状の各側面部それぞれに外容器体の内側から当接するよう組み立てられ、袋材内に装入することで外容器体を四面体状に形作ると共に、外容器体の底辺に対応する底辺で開閉自在となる四面体状の内包装体とを備えて成ることを特徴とする立体包装体。
【請求項２】
内包装体は、長方形板材の折曲によって起伏自在に形成されている請求項１に記載の立体包装体。
【請求項３】
内包装体は、外容器体の底辺に対応する底辺を共通の一辺とする三角形状で、底側面部、上側面部それぞれの内側面に当接する底板面部、上板面部、及びこれらの底板面部、上板面部それぞれの側方に連設され、外容器体の左右側面部の上下半部それぞれの内側面に当接する左右の三角形状の側板面部から成り、底側面部、上側面部それぞれを拡開傾向に付勢させて起伏自在にして、形成してある請求項１または２に記載の立体包装体。
【請求項４】
外容器体の閉塞部のほぼ中央部位には、袋材における上部開口部の端部相互を当接シールして成る脆弱接着部を形成してある請求項１乃至３のいずれかに記載の立体包装体。
【請求項５】
内包装体の底辺には、底板面部、上板面部相互を弾発的に拡開させる弾発手段を設けてある請求項１乃至４のいずれかに記載の立体包装体。
【請求項６】
弾発手段は、内包装体における底板面部と上板面部との折り曲げ方向と同方向に断面で溝形を呈するように底辺で窪ませることで形成してある請求項５に記載の立体包装体。
【請求項７】
弾発手段は、内包装体における底辺の両端部に、底板面部、上板面部それぞれに跨るような所定幅員の三角形状の突片を突設し、この突片の頂部が底辺側方の延長上に位置するようにして上方に折り曲げることで形成してある請求項５に記載の立体包装体。
【発明の詳細な説明】
【技術分野】
【０００１】
本発明は、三角形状の薄膜シート材をそれぞれの辺縁によって他のシート材に連続させることで四面体（三角錐体）状に形成したいわゆるテトラ状包装体の改良に係り、例えば盛り付けられた調理品を崩すことなく容易に封入でき、陳列販売更には開封後では舟形容器となって、そのままで供食を可能にする立体包装体に関する。
【背景技術】
【０００２】
近時、スーパーマーケット、コンビニエンスストアその他では、包装された各種の弁当・惣菜等が提供されており、しかもそれらは通常は一人前の分量であることで、購入者の個々人による個別の購入、供食が可能としているから便利である。そのため、盛り付けられた状態で個別包装ができるように、やや硬質の薄膜シート材によって必要があれば仕切が設けられて所定形状に成型された容器本体と、これに施蓋されるように組み合わせられる蓋体等が用意されている。このような所定形状の立体的な容器等から成る風袋は、中身の調理品の供食後ではそのまま廃棄されることが予定されているが、そのまま廃棄するには嵩張り、その処理は面倒である。
【０００３】
こうした点を解消すべく、例えば特許文献１に示すような合成樹脂フイルム製の包装体が提案されている。この包装体の概略は、上部の１辺で開口されていて、左右側部、底部の３辺が閉塞されている矩形状の薄膜シート材製の包装袋によって、開口されている上部の辺縁の角部である左右側部の上端部相互を合わせて底部とほぼ直交するように封止することで、三角形状を呈する計４面の側面部が、それぞれの辺縁にて他の側面部と連続して成るいわゆるテトラ状（三角錐体状）となる四面体に形成する。そして、封止前には予め所定の被包装物を収納し、また適当な気体の充填によって大気圧より僅かにでも高くして封止しておくのであり、取り出し時では封止した上部の辺縁における角部を基点として前記の左右側部（熱圧着して形成したシール線）の縁辺に沿って強制的に引き裂くように開封することによって、封止前の被包装物がそのまま露出され、また取り出せるようになるいわゆる舟形を呈する容器になるとする。
【０００４】
このような包装体によると、封止後に運搬し、また店頭等に陳列販売する場合、四面体状の透明合成樹脂フィルム製のテトラ形状であることで包装体自体の上下方向が定まらず、これが多数である場合にはランダムな方向で山状に積み重ねられたものとなる。こうした陳列形態であることを考慮すると、被収納物が例えば食材・食品等の場合であれば、天地が特に定められない例えばいわゆるサラダ菜等の葉もの、カット野菜、ミニトマト等の小粒体等の収納、陳列には、被収納物を立体的に見せ、外部からの衝撃・圧力等が直接には加わらず、潰れることもないことと相俟って好適といえる。
【０００５】
あるいは、１面を底部として例えば販売棚上に陳列するときは、四面体状の側面となる他の３面によって内部を透視可能とさせるばかりでなく、被収納物を外部から保護するから、盛り付けられた惣菜等の調理品の包装体として使用するにも好適である。
【先行技術文献】
【特許文献】
【０００６】
【特許文献１】特許第３９９７２５１号公報
【発明の概要】
【発明が解決しようとする課題】
【０００７】
上述した特許文献１による包装体によって各種の被収納物を収納保持するにつき、基本的には三角錐体状を呈する四面体状の包装体内に各種の被収納物を収納する場合には、扁平状の包装袋を横長状にして一旦は載置して左右に拡開して包装袋の底辺縁を一辺とする三角形状の１面を底部として配置形成すると共に、開口部から各種の被収納物をスライドするように装入し、次いで、左右側縁部の上部角部相互を当接させて合わせ、開口部分をシールすることになる。被収納物が上述したように、天地を問わずランダムに収納される場合であれば、開口状態にしておいて上方からでも側方からでも包装袋内に投入可能としても、盛り付けられた各種の惣菜等の調理品である場合には、その盛り付けられた状態のままで側方ないし上側方から開口部内にスライドするように装入する必要があるから、極めて面倒である。そればかりでなく、１品毎にこのような手間を掛けざるを得ないとすれば、大量に個別収納するには不適当であり、ひいては例えば惣菜製品の販売価格の高騰化を招くものとなる。
【０００８】
また、この特許文献１による包装体によると、開封して被収納物を供食あるいは取り出し後では、その素材である合成樹脂フィルム材のみとなるから、嵩張ることなく、廃棄自体が容易である利点もある。ただ、このような利点がありながら、例えばコンビニエンスストア、スーパーマーケット等で盛り付けられた各種惣菜等の調理品等を立体的に盛り付けられたままで陳列することで販売促進に大きく役立つようにすることが可能であっても、その手間が掛かり、コスト高となることで、これの採用は躊躇せざるを得ない。
【０００９】
そこで本発明は叙上のような従来存した諸事情に鑑み創出されたもので、その目的は例えば盛り付けられて立体的になる惣菜等の調理品をそのままで装入封止でき、しかもその装入は面倒な手間が掛からずに容易に作業できるばかりでなく、開封後の供食時、取り出し時にも邪魔にならずに取り扱うことができ、また、電子レンジによる加熱調理をも可能にし、供食後では嵩張らずに容易に廃棄できるようにした立体包装体を提供することにある。
【課題を解決するための手段】
【００１０】
上述した課題を解決するため、本発明にあっては、平面で矩形状を呈する袋材２における上部開口部の端部ｃ，ｄ相互を当接して上部開口部をシールすることで、袋材２の底辺ａｂに対して直交配置される閉塞部３を形成し、底辺ａｂを共通の一辺とする三角形状の底側面部Ａ、上側面部Ｂ、及び閉塞部３を共通の一辺とする三角形状の左右側面部Ｃ，Ｄから成る四面体状の外容器体１と、この外容器体１における三角形状の各側面部Ａ，Ｂ，Ｃ，Ｄそれぞれに外容器体１の内側から当接するよう組み立てられ、袋材２内に装入することで外容器体１を四面体状に形作ると共に、外容器体１の底辺ａｂに対応する底辺ｍｎで開閉自在となる四面体状の内包装体１０とを備えて成ることを特徴とする。
内包装体１０は、長方形板材の折曲によって起伏自在に形成することができ、具体的には、外容器体１の底辺ａｂに対応する底辺ｍｎを共通の一辺とする三角形状で、底側面部Ａ、上側面部Ｂそれぞれの内側面に当接する底板面部Ｅ、上板面部Ｆ、及びこれらの底板面部Ｅ、上板面部Ｆそれぞれの側方に連設され、外容器体１の左右側面部Ｃ，Ｄの上下半部それぞれの内側面に当接する左右の三角形状の側板面部Ｇ，Ｈ、Ｉ，Ｊから成り、底側面部Ａ、上側面部Ｂそれぞれを拡開傾向に付勢させて起伏自在にして、形成することができる。
外容器体１の閉塞部３のほぼ中央部位には、袋材２における上部開口部の端部ｃ，ｄ相互を当接シールして成る脆弱接着部５を形成することができる。
内包装体１０の底辺ｍｎには、底板面部Ｅ、上板面部Ｆ相互を弾発的に拡開させる弾発手段１１を設けることができ、この弾発手段１１は、底板面部Ｅと上板面部Ｆとの折り曲げ方向と同方向に断面で溝形を呈するように底辺ｍｎで窪ませることで形成したり、底辺ｍｎの両端部に、底板面部Ｅ、上板面部Ｆそれぞれに跨るような所定幅員の三角形状の突片１２を突設し、この突片１２の頂部が底辺ｍｎ側方の延長上に位置するようにして上方に折り曲げることで形成したりすることができる。
【００１１】
以上のように構成された本発明に係る立体包装体にあって、展開された内包装体１０の例えば底板面部Ｅ上に所定の盛り付けられた調理品Ｍが載置され、この調理品Ｍに上板面部Ｆを半ば被せるようにすることで、盛り付けたままの状態の調理品Ｍを保持させる。そして、鋭角状となっている内包装体１０の底辺ｍｎ側から、扁平状の袋材２の上部開口部に位置決めして順次に装入することで、次第に拡開する内包装体１０が袋材２をその内側から同様に拡開し、袋材２自体を外容器体１として四面体状（三角錐体状）に形作る。
内包装体１０の拡開後では、袋材２における上部開口部の端部ｃ，ｄ相互が当接するものとなり、端部ｃ，ｄの内側面相互を当接させたままで上部開口部を熱溶着等でシールして脆弱接着部５を有する閉塞部３とさせ、閉塞後では、盛り付けた調理品Ｍが内包装体１０及び外容器体１によって崩されることなく保護された状態で封入させる。
内包装体１０の底辺ｍｎに設けた弾発手段１１は、半ば閉じられた状態で袋材２内に装入される内包装体１０自体を袋材２内で拡開させ、袋材２自体を四面体状の外容器体１として形作らせ、また閉塞部３を形成する幅員を袋材２の上部開口部に確保させる。
閉塞部３のほぼ中央部に形成の脆弱接着部５は、例えば電子レンジにて加熱するとき、内部収納の調理品Ｍから生じる蒸気圧力が一定以上になるとそれに耐えられずに接着部分が剥離、破断される等で余分な過熱蒸気を排出させ、外容器体１自体の破損、破壊を防止させ、調理品Ｍの調理を続行させる。
また、脆弱接着部５は上部開口部においての外容器体１自体を引き裂き開放するときのガイドとなり、袋材２における左右側辺ａｃ，ｂｄに沿って閉塞部３をこれの左右部に引き裂かせ、外容器体１を内包装体１０と共に開放して舟形形状の容器自体とさせて、内部収納の調理品Ｍの供食を可能にさせる。
【発明の効果】
【００１２】
本発明は以上説明したように構成されているため、扁平状の袋材２によって形成される四面体状の外容器体１内に、ほぼ四面体状に拡開される内包装体１０に盛り付け、保持させた調理品Ｍを盛り付けたままの状態で簡単に装入できる。また密封包装後での陳列販売に際し、盛り付けられたままであることでその販売促進に役立つばかりでなく、電子レンジによる加熱時では内部に生じた過熱蒸気を円滑に排出でき、また開封によってそのまま舟形形状の容器として使用可能である等の利点がある。
【００１３】
すなわち、これは本発明において、平面矩形状の袋材２における上部開口部の端部ｃ，ｄ相互を当接し、上部開口部をシールして袋材２の底辺ａｂに対して直交配置される閉塞部３を形成し、底辺ａｂを共通の一辺とする三角形状の底側面部Ａ、上側面部Ｂ、及び閉塞部３を共通の一辺とする三角形状の左右側面部Ｃ，Ｄから成る四面体状の外容器体１と、この外容器体１における三角形状の各側面部Ａ，Ｂ，Ｃ，Ｄそれぞれに外容器体１の内側から当接するよう組み立てられ、袋材２内に装入することで外容器体１を四面体状に形作ると共に、外容器体１の底辺ａｂに対応する底辺ｍｎで開閉自在となる四面体状の内包装体１０とを備えて成るからである。これによって、盛り付けた状態のままの調理品Ｍの四面体状の外容器体１内への装入・密閉作業の簡易化、崩されることがない状態での運搬、陳列販売、更に容器のままでの電子レンジによる加熱調理、開封後に変形する舟形形状の容器のままの供食等を可能にする。
【００１４】
また、外容器体１内に装入される内包装体１０は、いわば開閉される四面体状であって、拡開傾向に付勢されているから、例えば底板面部Ｅ上に盛り付けられた調理品Ｍを底辺ｍｎにて折り曲げることで被せた上板面部Ｆによって崩すことなく、盛り付けた形態を保持できる。しかも、折り曲げることで鋭角状となる底辺ｍｎにて、扁平袋状の袋材２を拡開しながら袋材２内に装入でき、装入後では、その袋材２を四面体状の外容器体１として形作ることができる。このため、従来であれば、袋材２それ自体を四面体状に拡げるように開口しても、その形状を自立的に保持できない袋材２の内部に所定の調理品Ｍを盛り付けることが極めて困難であっても、袋材２外部で調理品Ｍを盛り付けることで、そのまま袋材２内に装入でき、装入、密封作業を連続的に、大量であっても円滑、迅速に遂行できる。
【００１５】
しかも、従来であれば、柔軟性があって保形維持が困難であった外容器体１のみでは、いわゆる葉もの、カット野菜、塊・粒・粉状等の不定形性の物品等を対象にするにしか包装できなかったが、内包装体１０の採用によって、包装可能なものの範囲を増大でき、上述したような盛り付けた惣菜製品等である調理品Ｍのみならず、各種の立体的な被包装物を簡単に包装できる汎用性を備える。
【００１６】
また、内包装体１０は、外容器体１の底辺ａｂに対応する底辺ｍｎを共通の一辺とする三角形状で、底側面部Ａ、上側面部Ｂそれぞれの内側面に当接する底板面部Ｅ、上板面部Ｆ、及びこれらの底板面部Ｅ、上板面部Ｆそれぞれの側方に連設され、外容器体１の左右側面部Ｃ，Ｄの上下半部それぞれの内側面に当接する左右の三角形状の側板面部Ｇ，Ｈ、Ｉ，Ｊから成るから、これが袋材２内で拡開されるときには、内包装体１０が拡開傾向に付勢されていることと相俟ち、扁平矩形状の袋材２を四面体状の立方体に形作ることができる。
【００１７】
内包装体１０における底辺ｍｎに設けた弾発手段１１は、底板面部Ｅ、上板面部Ｆ相互を弾発的に拡開させるから、例えば底板面部Ｅ上に載置した調理品Ｍを覆うように上板面部Ｆを折り曲げて被せた状態として調理品Ｍを保護して袋材２内に装入した後では、袋材２を押し広げて外容器体１としての四面体状に形作ると共に、外容器体１内の調理品Ｍを外部からの衝撃その他から十分に保護する。
【００１８】
また、この弾発手段１１は、例えば底板面部Ｅと上板面部Ｆとの折り曲げ方向と同方向に断面で溝形を呈するように底辺ｍｎで窪ませることで形成したり、底辺ｍｎの両端部に、底板面部Ｅ、上板面部Ｆそれぞれに跨るような所定幅員の三角形状の突片１２を突設し、この突片１２の頂部が底辺ｍｎ側方の延長上に位置するようにして上方に折り曲げることで形成したりできるので、内包装体１０自体に簡単に形成できる。
【００１９】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００２０】
【図１】本発明を実施するための一形態を示す分解斜視図である。
【図２】同じく開封して舟形形状の容器に変形した後の供食時における斜視図である。
【図３】同じく盛り付けた調理品を封入する作業手順を説明するもので、その(Ａ)は内包装体に調理品を載置したときの斜視図、(Ｂ)は内包装体を折り曲げ、調理品に被せた状態の斜視図、(Ｃ)は内包装体を外容器体内に装入するときの斜視図、(Ｄ)は内包装体が拡開し、外容器体の上部開口部がシール閉塞されるときの斜視図、(Ｅ)は外容器体を封止したときの斜視図である。
【図４】同じく外容器体を形成する袋材の平面図である。
【図５】同じく外容器体の斜視図である。
【図６】同じく内包装体の展開図である。
【図７】同じく内包装体の弾発手段の一例における要部断面図である。
【図８】同じく内包装体の弾発手段の他例における斜視図である。
【発明を実施するための形態】
【００２１】
以下、図面を参照して本発明を実施するための一形態を説明すると、図において示される符号１は透明な所定肉厚の合成樹脂製フィルム・シート材にて形成されたほぼ四面体状（三角錐体状）、いわばテトラ状を呈するように形成される外容器体である。この外容器体１自体は、所定幅員、所定高さを有する矩形状を呈する扁平な袋材２から形成されて成り、扁平な袋材２においての底辺ａｂおよびこれに連続する左右側辺ａｃ，ｂｄは閉塞されていて、上辺ｃｄのみが開口されて上部開口部を形成している。この袋材２の上部開口部から、この上部開口部が半ば開口された状態で袋材２自体が横長の扁平状にして、例えば作業台上で配置されているとき、半ば閉じられた状態の後述する開閉自在な四面体状の内包装体１０が装入されるものとなっていて、この内容器体１０によって上部開口部自体を上下方向に沿って拡開させることで外容器体１と成すようになっている。
【００２２】
すなわち、内包装体１０が袋材２内に装入され、内包装体１０が外容器体１内で拡開されたとき、外容器体１自体は四面体状を呈する。内包装体１０の袋材２内への装入に際し、必要があれば吹き付け供給される所定のエアー圧力（図３（Ｃ）における矢印参照）によって上部開口部を半ば開口して、内包装体１０上に盛り付けられた例えば各種の惣菜等の調理品Ｍが内包装体１０と共に袋材２内に収納され、外容器体１として封止される。封止されるに際し、袋材２における底辺ａｂに対して、左右側辺ａｃ，ｂｄの上部開口端である左右の角隅部ｃ，ｄそれぞれの内側面を相互に当接させると共に、袋材２における上下側面部の上部開口部のほぼ中央部位ｅ，ｆを折曲することで、上部開口部端からの所定の幅員ｅｇ，ｆｈでシール閉塞するものとしてある。そして、これらの部位ｅｇｈｆで囲繞された矩形部分が所定幅員のシール部分である閉塞部３となり、この閉塞部３は底辺ａｂに対して直交した状態で配置される。尚、ｉ，ｊは、閉塞部３における下縁ｇｈが左右側辺ａｃ，ｂｄと交わる交点で、閉塞部３における下縁ｇｈの中央部位を示す。
【００２３】
このときの外容器体１は、袋材２の底辺ａｂを一辺とする三角形状の底側面部Ａ（ａｂｇ）、同じく底辺ａｂを一辺とする三角形状の上側面部Ｂ（ａｂｈ）、袋材２の上部開口部辺ｅｆあるいはｇｈを一辺とする三角形状の左側面部Ｃ（ｂｈｇ）、同じく上部開口部辺ｅｆあるいはｇｈを一辺とする三角形状の右側面部Ｄ（ａｈｇ）の４面を有する四面体（三角錐体）となる。また、外容器体１の容積・高さ等は、例えば盛り付けられた調理品Ｍをそのままの状態で収納するに十分なものとしてあるのは勿論である。
【００２４】
また、閉塞された外容器体１は、閉塞部３の辺部におけるほぼ中央に位置することになる袋材２の上部開口部の端部であるｃ，ｄを基点（始端）として、左右側辺ａｃ，ｂｄに沿って切断することで開封できるようにしてある（図５参照）。そのため、袋材２における左右側辺ａｃ，ｂｄは、例えば熱圧着によるシール部構造、内側面への開封用帯材あるいは紐材の接合構造、破断線構造その他としておくと良い。また、上部開口部の端部には、例えばＵ字状等に切り欠いて形成した引き裂きガイド４を設けることで、左右側辺ａｃ，ｂｄに沿って容易に切断、開封できるようにしておく。尚、これらの開封用帯材あるいは紐材の接合構造、破断線構造、更に引き裂きガイド４等は、袋材２自体における前後の面部における左右側辺ａｃ，ｂｄ側に、この左右側辺ａｃ，ｂｄと若干の間隙を隔てて平行状にして設けることも可能である。
【００２５】
尚、閉塞部３における中央部位は、外容器体１とする前の形成素材である袋材２における上部開口部の端部ｃ，ｄであり、この端部ｃ，ｄ自体は袋材２が袋状態であるときに折曲されている。そのため、閉塞部３としてシールするとき、他部位はもともと平坦面であることで強く接着シールされるのに比し弱く接着シールされることで、脆弱性を備えた脆弱接着部５となっている。そうすると、この脆弱接着部５は、外容器体１の内外の遮断は可能でも、例えば閉塞後で容器本体１内で一定以上の圧力が生じたとき、例えば過熱調理時に内部収納の調理品Ｍから生じる過熱蒸気で僅かでも剥離あるいは破断、破損され、蒸気抜き用の蒸気排出路を形成するものとなっている。
【００２６】
一方、内包装体１０は所定肉厚の長方形板材の折曲によって、舟形形状を呈するように形成されており、望ましくは透明にした合成樹脂製フィルム・シート材、あるいは望ましくは防水・耐油性を備えた紙片にて形成されている。具体的には、外容器体１における底側面部Ａあるいは上側面部Ｂの内側面に当接するほぼ三角形状の底板面部Ｅ、上板面部Ｆを、外容器体１における底辺ａｂに対応する底辺ｍｎによって相互に拡開可能、望ましくは弾発的な拡開傾向に付勢させて、連結させて成る。更には、これらの底板面部Ｅ、上板面部Ｆそれぞれの両側には、同じく外容器体１における三角形状の右側面部Ｃ、左側面部Ｄそれぞれの下半部、上半部それぞれの内側面に当接する左右側板面部Ｇ，Ｈ、Ｉ，Ｊを起伏自在に連結して成る。この内包装体１０自体は、展開形態において、底辺ｍｎを境界として底板面部Ｅ、上板面部Ｆが連続されている場合は平面でほぼ菱形状を呈し、更にこれらの底板面部Ｅ、上板面部Ｆそれぞれに左右側板面部Ｇ，Ｈ、Ｉ，Ｊが左右対称的に連結されている場合は平面でほぼ長方形状を呈する。
【００２７】
尚、この内包装体１０自体は、展開形態において、外容器体１における閉塞部３域を除いて展開された長方形に相当する長方形状を呈し、所定の調理品Ｍが例えば底板面部Ｅ上に載置され、載置された後にこの底板面部Ｅに連続している上板面部Ｆを底辺ｍｎにて折り曲げて調理品Ｍ上に被せるようにし、その状態で袋材２（外容器体１）を押し広げて拡開しながら装入するものとしてある。このため、内包装体１０は外容器体１に比し、やや肉厚で剛性があり、またやや硬質であることとされるのが望ましい。
【００２８】
具体的には、底板面部Ｅは外容器体１の底側面部Ａに対応するよう、袋材２における底辺ａｂあるいは上辺ｃｄよりも大きくはない幅員を有している一辺を底辺ｍｎとし、また底辺ｍｎの中央部位ｌからシール閉塞部分の端部ｇ位置に相当する部位を頂点ｏ、すなわちこの端部ｇに至る長さよりも大きくはない高さとする二等辺三角形状を呈する。同様に、上板部Ｆは外容器体１の上側面部Ｂに対応するよう、袋材２における底辺ａｂあるいは上辺ｃｄよりも大きくはない幅員を有している一辺を底辺ｍｎとし、また底辺ｍｎの中央部位ｉから閉塞部３の端部ｈ位置に相当する部位を頂点ｐ、すなわちこの端部ｈに至る長さよりも大きくはない高さとする二等辺三角形状を呈する。また、底板面部Ｅ、上板面部Ｆは底辺ｍｎを共通にしていて、この底辺ｍｎで底板面部Ｅ、上板面部Ｆそれぞれは互いに起伏するように拡開傾向に付勢されている。
【００２９】
尚、この内包装体１０における展開された長方形の大きさは、平面で矩形状を呈する袋状である袋材２が展開された長方形の大きさに比し大きくはなく形成してある。すなわち、短辺側である内包装体１０の底辺ｍｎは袋材２の底辺ａｂに比し大きくはなく、長辺側である内包装体１０の頂点ｏｐ相互間の長さは袋材２の左右側辺ａｃあるいはｂｄの長さのほぼ２倍の長さに比し、袋材２における上部開口部の閉塞部３の幅員ｅｇ，ｆｈで小さくされている。
【００３０】
また、底板面部Ｅ、上板面部Ｆそれぞれの両側には、その両側辺ｍｏ，ｎｏあるいはｍｐ，ｎｐそれぞれを第１の一辺（ｍｏ，ｎｏあるいはｍｐ，ｎｐ）とし、袋材２における左右側辺ａｃ，ｂｄでの閉塞部３における下縁ｇｈの中央部位ｉ，ｊに至る長さ（ａｊ，ｂｉ）に相当する部位を第２の一辺ｍｑ，ｎｒとし、閉塞部３の端部ｇ，ｈからこれの中央部位ｉ，ｊに至る長さ（ｇｊ，ｇｉ，ｈｉ，ｈｊ）に相当する辺を第３の一辺ｏｑ，ｏｒあるいはｐｓ，ｐｔとする三角形状の左右板側面部Ｇ（ｍｏｑ），Ｈ（ｎｏｒ），Ｉ（ｍｐｓ），Ｊ（ｎｐｔ）を底板面部Ｅ、上板面部Ｆの両側辺ｍｏ，ｎｏあるいはｍｐ，ｎｐによって起伏自在にして連結してある。ここで、底板面部Ｅの左右の左右板側面部Ｇ，Ｈそれぞれの端縁ｍｑ，ｎｒと、上板面部Ｆの左右の左右板側面部Ｉ，Ｊそれぞれの端縁ｍｓ，ｎｔとは、底板面部Ｅに上板面部Ｆが被さるように倒伏したときには、相互に突き合わせられ、あるいは縁部がその一部でも重ね合わせられるようになっている。そして、この突き合わせられた等の状態で、内包装体１０が外容器体１内に装入されたときでは、内包装体１０の左板側面部Ｇ，Ｉは外容器体１の左側面部Ｃの内側面に、また同様に内包装体１０の右板側面部Ｈ，Ｊは外容器体１の右側面部Ｄの内側面にそれぞれ対応し、当接するようになっている。
【００３１】
同時に、突き合わせられた等の底板面部Ｅの左右の左右板側面部Ｇ，Ｈそれぞれの端縁ｍｑ，ｎｒ，上板面部Ｆの左右の左右板側面部Ｉ，Ｊそれぞれの端縁ｍｓ，ｎｔは、四面体状となる外容器体１における袋材２の左右側辺ａｃ，ｂｄ位置にほぼ合致する。そのため、外容器体１が左右側辺ａｃ，ｂｄ部位で破断されると、外容器体１が舟形形状に開封されるのに対応し、外容器体１も外容器体１の内部に沿う舟形形状に拡開されるものとしてある（図２参照）。
【００３２】
このような内包装体１０における底辺ｍｎには、内包装体１０を折り畳むように折り曲げたときに、展開復元するような拡開傾向に付勢させる弾発力を付与させるようにする弾発手段１１を設けてある。すなわち、この弾発付勢作用によって、内包装体１０を折り曲げた状態で、この内包装体１０を底辺ｍｎ側から扁平状の外容器体１の上部開口部を経て外容器体１を拡開させながら装入すると、展開復元する内包装体１０が外容器体１をこれの内方から四面体状に形作るようにしている。
【００３３】
弾発手段１１は、例えば底板面部Ｅと上板面部Ｆとの折り曲げ方向と同方向に断面で溝形を呈するように底辺ｍｎで窪ませることで形成してある（図７参照）。あるいは底辺ｍｎの両端部に、底板面部Ｅ、上板面部Ｆそれぞれに跨るような所定幅員の扁平な三角形状の突片１２を突設し、この突片１２の頂部が底辺ｍｎ側方の延長上に位置するようにして上方に折り曲げることで形成してある（図８参照）。この両端部の上方への折り曲げ形成による蓋体１１では、内包装体１０自体の弾発復元性を大きくできるばかりでなく、調理品Ｍから浸出することがある液状成分等を堰き止めでき、外容器体１の切断開封後等で同時に露呈される内包装体１０外に液状成分等が漏出するのを防止するのに役立つ。
【００３４】
尚、図中符号１３は底板面部Ｅ、上板面部Ｆと、これらの左右に連設される左右の左右板側面部Ｇ，Ｈ、Ｉ，Ｊそれぞれとの境界部分に形成された段部縁で、窪み状に形成される底板面部Ｅ、上板面部Ｆに対する左右板側面部Ｇ，Ｈ、Ｉ，Ｊの起伏動を弾性作用によるようにしたもので、必要に応じて形成される。
【００３５】
次にこれの使用の一例を説明すると、例えば惣菜等として盛り付けられる調理品Ｍを外容器体１に収納する場合であると、先ず、展開された内包装体１０では、その底板面部Ｅ、上板面部Ｆを底辺ｍｎにて上方に折り曲げ、これらの左右に配した左右板側面部Ｇ，Ｈ、Ｉ，Ｊそれぞれも同じく上方に折り曲げて舟形形状に形作っておく。そして、この内包装体１０の底板面部Ｅ上に調理品Ｍを盛り付け（図３（Ａ）参照）、調理品Ｍに被せるように上板面部Ｆを底辺ｍｎにおける拡開作用あるいは弾発手段１１の弾発作用に抗するようにして底板面部Ｅに対して折り曲げ、調理品Ｍの左右を左右板側面部Ｇ，Ｈ、Ｉ，Ｊそれぞれで囲むようにする（図３（Ｂ）参照）。次いで、扁平状である外容器体１である袋材２の上部開口部を経て、内包装体１０をその底辺ｍｎ側から袋材２内に装入する（図３（Ｃ）参照）。このとき例えば、作業台上で扁平状にして配置した袋材２の上部開口部をエアーを吹き付け供給する等によって僅かにでも開口させておき、折り曲げられることでいわば鋭角状となっている内包装体１０の底辺ｍｎ側から作業台上で滑らせ、底辺ｍｎのいずれか一方側端部から作業台上で僅かに回転させながらも、また袋材２を次第に拡げながら装入すると良い。
【００３６】
すると、外容器体１内で内包装体１０は、底辺ｍｎにおける拡開力あるいは弾発手段１１の弾発的な拡開復元力で拡開し、袋材２において、その対向当接していた袋面部が離反拡開し、一方の袋面部では底板面部Ｅの当接部分が底側面部Ａを形作ると同時に、この底側面部Ａの両側には左右板側面部Ｇ，Ｈによって左右側面部Ｃ，Ｄの下半部が形作られる。同様に、他方の袋面部では上板面部Ｆの当接部分が上側面部Ｂを形作ると同時に、この上側面部Ｂの両側には左右板側面部Ｉ，Ｊによって左右側面部Ｃ，Ｄの上半部が形作られる。このとき、内包装体１０の装入前では横長状態であった上部開口部が縦長状態となって閉塞され、袋材２の上部開口部の端部ｃ、ｄ相互が対向すると同時に、上部開口部の中央部位ｅ，ｆが折り曲げられて、袋材２は外容器体１として形成される（図３（Ｄ）参照）。
【００３７】
この状態では、内包装体１０が内接していない外容器体１における縦長状の開口部分が閉塞部３域となり、必要であれば外容器体１内に所定のエアー圧力を注入、加えるものとして、袋材２における左右側辺ａｃ、ｂｄの開口部位、すなわち端部ｃ，ｄの内側面を互いに当接させることで閉塞部３として溶着・加熱その他によってシールし、閉塞する（図３（Ｅ）参照）。
【００３８】
こうすることで、内包装体１０によって立体的に保護された状態の調理品Ｍを、扁平状の袋材２内に円滑に装入して袋材２を外容器体１として形作り、盛り付けられた調理品Ｍを崩すことなく、そのまま外容器体１にて封止収納でき、また、店頭等で陳列販売可能にする。
【００３９】
次いで、購入された後で例えば電子レンジ等で加熱し、供食するに際し、閉塞部３における端部ｃ，ｄ部位は加熱溶着後、運搬、陳列販売時等においては外容器体１の内外を遮断しているも、加熱時に生じる外容器体１内の過熱蒸気によって剥離、破断される程度の脆弱性を備えた脆弱接着部５となっていることで、外容器体１内の過熱蒸気を外部に排出する。こうすることで、外容器体１自体の破裂、破損を生じさせることなく、封入した調理品Ｍを加熱調理できる。
【００４０】
また、閉塞部３における両縁部を持ち、閉塞部３の中央部位である袋材２の端部ｃ，ｄである引き裂きガイド４を始端として外容器体１自体を引き裂くように開放する（図５参照）。すると、内包装体１０は拡開されて外容器体１と共に展開されて、いわば二重の舟形形状の容器様を呈する（図２参照）。この状態ではそのままで、あるいは必要であれば他容器に調理品Ｍを移し替えて供食可能である。
【符号の説明】
【００４１】
１…外容器体                            ２…袋材
３…閉塞部                              ４…切り裂きガイド
５…脆弱接着部
１０…内包装体                          １１…弾発手段
１２…突片                              １３…段部縁
Ａ…底側面部                            Ｂ…上側面部
Ｃ…左側面部                            Ｄ…右側面部
Ｅ…底板面部                            Ｆ…上板面部
Ｇ…左側板面部                          Ｈ…右側板面部
Ｉ…左側板面部                          Ｊ…右側板面部
Ｍ…調理品
ａｂ…袋材の底辺                        ｃｄ…袋材の上辺
ａｃ，ｂｄ…袋材の左右側辺              ｃ，ｄ…端部
ｅ，ｆ…袋材における上辺の中央部位      ｇ，ｈ…閉塞部における下縁の端部位
ｉ，Ｊ…閉塞部における下縁の中央部位
ｌ…内包装体の底辺の中央部位            ｍｎ…内包装体の底辺
ｏ，ｐ…内包装体の頂点                  ｑ，ｒ，ｓ，ｔ…内包装体の角隅部
【図１】
2010241491.tif 000003
【図２】
2010241491.tif 000004
【図３】
2010241491.tif 000005
【図４】
2010241491.tif 000006
【図５】
2010241491.tif 000007
【図６】
2010241491.tif 000008
【図７】
2010241491.tif 000009
【図８】
2010241491.tif 000010